(57)【要約】【課題】凍結やトラブルが少ない構造を開発する。凍結しそうな低温環境では、内部のドレンや各構成部品の可動部などを効率よく暖めて凍結による不具合を防止すると共に、その他のトラブルも予防し耐久性に優れたフロート式ドレントラップを提供する。【解決手段】ドレンを貯留するケ―シング１からドレンを排出する排出管２を開閉するロータリーバルブ３を設ける。該ロータリーバルブ３に前記フロート４の揺動軸５を連結して該ロータリーバルブ３をフロート４の支点とする。ケーシング１周辺の温度を感知してケーシング１内のドレンを加熱するカートリッジヒーター６をケーシング１の底部に設ける。該ケーシング１周辺の温度を感知する感温スイッチ７を設ける。ケーシング１周辺の温度が零度になったときにカートリッジヒーター６に通電する。【選択図】  図１
2007232030.tif 000002
【特許請求の範囲】
【請求項１】
ドレンを貯留するケ―シングに設けられ、該ケーシングからドレンを排出する排出管と、該排出管を開閉するバルブと、該バルブを開閉するフロートと、を備えたフロート式ドレントラップにおいて、前記バルブにロータリーバルブを使用すると共に、該ロータリーバルブに前記フロートの揺動軸を連結して該ロータリーバルブをフロートの支点とし、前記ケーシング周辺の温度を感知してケーシング内のドレンを加熱する発熱体をケーシングに設けたことを特徴とするフロート式ドレントラップ。
【請求項２】
前記発熱体は、耐熱性合成樹脂材に被覆されたカートリッジヒーターとし、該カートリッジヒーターを前記ケーシングの底部に設けると共に、該ケーシング周辺の温度を感知する感温スイッチを設け、ケーシング周辺の温度が零度になったときにカートリッジヒーターに通電するように設けた請求項１記載のフロート式ドレントラップ。
【請求項３】
前記排出管は、前記ケーシングにドレンを流入せしめる流入口の位置より低い位置に設けられ、該排出管から鉛直下方に延長されてケーシングの底部近傍に至る圧力保持管を有し、前記フロートは、前記ケーシングの底部から前記ロータリーバルブの高さまでの範囲にかけて揺動し、該フロートがロータリーバルブの高さに至ったときに、該ロータリーバルブが開いてドレンを排出するように設けた請求項１記載のフロート式ドレントラップ。
【発明の詳細な説明】
【技術分野】
【０００１】
本発明は、圧縮空気のドレン抜きとして、レシーバー、エアードライヤー、空気配管等利用されるフロート式ドレントラップに係り、圧縮空気やガス等の配管に発生する凝縮水、腹水、蒸気等のドレンを溜めておき、一定量を超えるドレンをフロートの作動で排出するフロート式ドレントラップに関する。
【背景技術】
【０００２】
従来のフロート式ドレントラップは、たとえば特許文献１乃至３に示されるように、ケーシング内にドレンを溜め、一定量を超えたときにフロートが作動してドレンを排出するように設けられている。
【０００３】
特許文献１は、フロートを大きくして浮力を高めると、ケーシングが大きくなってしまう不都合から、フロートを大きくしてもケーシングを大きくせずに大きな開弁力を得られるようにするフロート式ドレントラップが提案されている。すなわち、弁室内に配置したフロートの浮上降下でレバーを駆動して弁口を開閉するように設けておき、レバーに衝突板を形成し、入口からのドレン流が衝突板に向けて開弁方向に流入するように入口を弁室に開口させたものである。
【０００４】
また、特許文献２のフロート式ドレントラップは、気体の漏れが生じた場合に、直ちに自動的に完全閉止できる機構を備えたもので、ドレンの排出通路を立下がり通路と立上がり通路を通して弁室上部に連通させ、立下がり通路と立上がり通路との間に補助弁口を配設し、補助弁口を開閉する補助フロ―トを立下がり通路内に収容したものである。
【０００５】
一方、特許文献３では、閉弁力を大きくして弁漏れが生じないようにするフロート式ドレントラップが記載されている。この特許文献３では、球弁によって弁口を閉じようとする際に、フロートで揺動する主レバーが副レバーを連動せしめ、この副レバーに設けた球弁を弁口に押し付ける構造を採用している。
【特許文献１】特公平６−５４１５６号公報
【特許文献２】特許第３６１１９０６号公報
【特許文献３】特開２００５−３６９０１号公報
【発明の開示】
【発明が解決しようとする課題】
【０００６】
従来のフロート式ドレントラップは、いずれもドレンの排出量や気体の漏れを防止するための工夫がなされているが、ドレンが凍結した場合の対策は全く考慮されていなかった。すなわち、フロート式ドレントラップは、液面の上下に伴ってフロートが上下し、ドレンを排出する弁を開閉するものであるが、ドレンが凍結してしまうとフロートが上下せず、ドレンを排出できなくなる不都合が生じていた。
【０００７】
特に、フロート式ドレントラップの構造が複雑なものでは、ドレンと共にフロートの可動部分も凍結する虞があるため、解凍の手間が多くなるだけでなく、他のトラブルも発生し易い不都合があった。たとえば、特許文献１のフロートは、衝突板を形成したレバーでフロートの動きを規制するものになっているので、この衝突板やレバーがドレンと共に凍結し易い構造になっている。また、衝突板やレバーの構成が複雑になっているため、これらの衝突板やレバーに他のトラブルが生じ易いといった課題もある。
【０００８】
また、特許文献２では、フロートのほかに、補助フロートを使用し、更に、この補助フロートとフロートの間に補助弁口を備えた構造を成している。そのため、この補助弁を介して仕切られている立下がり通路が、立上がり通路から隔離されているので、立下がり通路内のドレンが最も凍結し易い状態になっている。また、補助フロートや補助弁など、多くの構成部品を使用しているので、立下がり通路の詰まりや補助弁のトラブルなど、他のトラブルの発生率も高くなっている。
【０００９】
更に、特許文献３のフロートには、主レバーと副レバーとが連結されており、フロートが下降すると、フロートに連結した主レバーにより副レバーを連動させて球弁を弁口に押し付け、この球弁が弁口を閉じる構成になっている。そのため、これらの主レバーや副レバーの揺動部分、あるいは弁口のいずれかが凍結するだけでドレンを排出できなくなる。しかも、球弁が弁口を閉じるまでに、フロートに連結した主レバーによって副レバーや球弁を順次連動させる構造になっているため、耐久性に課題を残し、各揺動部や球弁の当接面など経年変化による他のトラブルが生じ易い構成になっていた。
【００１０】
そこで、本発明は上述の課題を解消すべく創出されたもので、凍結やトラブルが少ない構造を開発し、しかも、凍結しそうな低温環境では、内部のドレンのみならず各構成部品の可動部などを効率よく暖めて凍結による不具合を防止すると共に、経年変化等によるその他のトラブルも予防し耐久性に優れたフロート式ドレントラップの提供を目的とするものである。
【課題を解決するための手段】
【００１１】
上述の目的を達成すべく本発明における第１の手段は、ドレンを貯留するケ―シング１に設けられ、該ケーシング１からドレンを排出する排出管２と、該排出管２を開閉するバルブと、該バルブを開閉するフロート４と、を備えたフロート式ドレントラップにおいて、前記バルブにロータリーバルブ３を使用すると共に、該ロータリーバルブ３に前記フロート４の揺動軸５を連結して該ロータリーバルブ３をフロート４の支点とし、前記ケーシング１周辺の温度を感知してケーシング１内のドレンを加熱する発熱体をケーシング１に設けたことにある。
【００１２】
第２の手段における前記発熱体は、耐熱性合成樹脂材に被覆されたカートリッジヒーター６とし、該カートリッジヒーター６を前記ケーシング１の底部に設けると共に、該ケーシング１周辺の温度を感知する感温スイッチ７を設け、ケーシング１周辺の温度が零度になったときにカートリッジヒーター６に通電するように設けている。
【００１３】
第３の手段の前記排出管２は、前記ケーシング１にドレンを流入せしめる流入口８の位置より低い位置に設けられ、該排出管２から鉛直下方に延長されてケーシング１の底部近傍に至る圧力保持管９を有し、前記フロート４は、前記ケーシング１の底部から前記ロータリーバルブ３の高さまでの範囲にかけて揺動し、該フロート４がロータリーバルブ３の高さに至ったときに、該ロータリーバルブ３が開いてドレンを排出するように設けたことを課題解消のための手段とする。
【発明の効果】
【００１４】
本発明は、排出管２を開閉するバルブにロータリーバルブ３を使用すると共に、該ロータリーバルブ３に前記フロート４の揺動軸５を連結して該ロータリーバルブ３をフロート４の支点とし、前記ケーシング１周辺の温度を感知してケーシング１内のドレンを加熱する発熱体をケーシング１に設けたことにより、凍結の虞やトラブルが極めて少ない構造の提供に成功した。しかも、ロータリーバルブ３は、フロート４の支点となっているので、フロート４の浮力をロータリーバルブ３の開閉操作に効果的に伝えることができる。この結果、ロータリーバルブ３の口径を大きくすることが可能になっている。また、ロータリーバルブ３とフロート４の構成のみで排出管２を開閉する合理的な構造になっているので、耐久性にも優れている。
【００１５】
また、耐熱性合成樹脂材に被覆されたカートリッジヒーター６を前記ケーシング１の底部に埋設すると共に、該ケーシング１周辺の温度を感知する感温スイッチ７を設け、ケーシング１周辺の温度が零度になったときにカートリッジヒーター６に通電するように設けているので、凍結しそうな低温環境下では、内部のドレンのみならず可動用構成部品を効率よく暖めて凍結による不具合を確実に防止することができる。
【００１６】
更に、排出管２と流入口８との位置関係や圧力保持管９の設定位置、及びフロート４の揺動範囲から、凍結やトラブルが少ない極めて合理的な構造になっている。このように、本発明によると、凍結やトラブルが少ない構造を提供し、しかも、凍結しそうな低温環境では、内部のドレンのみならず可動用構成部品を効率よく暖めて凍結による不具合を防止すると共に、経年変化等によるその他のトラブルも予防し耐久性に優れるなどといった種々の効果を奏するものである。
【発明を実施するための最良の形態】
【００１７】
本発明枠体の最良の形態は、ドレンを貯留するケ―シング１からドレンを排出する排出管２を開閉するロータリーバルブ３を設ける。該ロータリーバルブ３に前記フロート４の揺動軸５を連結して該ロータリーバルブ３をフロート４の支点とする。ケーシング１周辺の温度を感知してケーシング１内のドレンを加熱するカートリッジヒーター６をケーシング１の底部に設ける。該ケーシング１周辺の温度を感知する感温スイッチ７を設ける。ケーシング１周辺の温度が零度になったときにカートリッジヒーター６に通電する。排出管２を、前記ケーシング１にドレンを流入せしめる流入口８の位置より低い位置に設け、該排出管２から鉛直下方に延長されてケーシング１の底部近傍に至る圧力保持管９を設ける。フロート４は、前記ケーシング１の底部から前記ロータリーバルブ３の高さまでの範囲にかけて揺動するものとし、該フロート４がロータリーバルブ３の高さに至ったときに、該ロータリーバルブ３が開いてドレンを排出するように設けることで当初の目的を達成するものである。
【実施例】
【００１８】
以下、本発明の一実施例を説明する。本発明ドレントラップは、ケーシング１内にドレンを溜め、このドレンが一定量を超えたときにフロート４が作動して排出管２からドレンを排出するフロート式のドレントラップである。
【００１９】
ケ―シング１は、圧縮空気の配管端末に備えられ、配管に発生する凝縮水、腹水、蒸気等のドレンを溜めておく。このケ―シング１には、ドレンを排出する排出管２と、ケ―シング１内にドレンを流入せしめる流入口８とを設けている（図１参照）。そして、排出管２の位地を流入口８の位置より低い位置に設けると共に、該排出管２に圧力保持管９を延長している。この圧力保持管９は、排出管２から鉛直下方に延長されてケーシング１の底部近傍に至るもので、排出管２からドレンを排出する際に、ケ―シング１から空圧機器の圧力が漏れないように設けている。尚、図中符号１０は均圧配管口、符号１１はブロー孔を示している。
【００２０】
排出管２には、ロータリーバルブ３が付設されており、このロータリーバルブ３を開閉することで、ドレンの排出を規制する。更に、ロータリーバルブ３にはフロート４が連結されている。すなわち、フロート４の揺動軸５をロータリーバルブ３に連結し、フロート４の揺動に伴ってロータリーバルブ３が開閉する構造になっている。図示例のフロート４は、前記ケーシング１の底部から前記ロータリーバルブ３の高さまでの範囲にかけて揺動し、該フロート４がロータリーバルブ３の高さに至ったときに、該ロータリーバルブ３が開いてドレンを排出するように設けている。
【００２１】
ケ―シング１の内部にケーシング１内のドレンを加熱する発熱体を設けている。この発熱体は、ケーシング１周辺の温度を感知して発熱するもので、耐熱性合成樹脂材に被覆されたカートリッジヒーター６の使用が好ましい。更に、このカートリッジヒーター６をケーシング１の底部に設けると共に、該ケーシング１周辺の温度を感知する感温スイッチ７を設けている。そして、ケーシング１周辺の温度が零度になったときにカートリッジヒーター６に通電するように感温スイッチ７を設定する。
【００２２】
尚、本発明は、図示例に限定されるものではなく、ケ―シング１や排出管２、圧力保持管９等の寸法や形状等の設計変更、およびカートリッジヒーター６や感温スイッチ７などの構成部材は、本発明の要旨を変更しない範囲において自由に変更できるものである。
【図面の簡単な説明】
【００２３】
【図１】本発明の一実施例を示す側断面図である。
【符号の説明】
【００２４】
１  ケ―シング
２  排出管
３  ロータリーバルブ
４  フロート
５  揺動軸
６  カートリッジヒーター
７  感温スイッチ
８  流入口
９  圧力保持管
１０  均圧配管口
１１  ブロー孔
【図１】
2007232030.tif 000003